(57)【要約】【課題】  裁断機を大型化することなく、裁断刃を洗浄する動作が可能な、裁断機の裁断刃洗浄装置を提供する。【解決手段】  ブラシ領域６に隣接する搬入領域９に、洗浄槽１２と蓋１１とを含む裁断刃洗浄装置２を設ける。洗浄槽１２は、出没可能で、（ｂ）に示すように、裁断テーブル３の表面よりも低い位置まで没入して待機し、（ｃ）に示すように、上部が表面よりも突出すれば、裁断ヘッド４の移動による裁断刃５や生地押え４ａの底面が洗浄可能となる。蓋１１は、洗浄槽１２を開閉可能で、待機時は、裁断テーブル３の表面で洗浄槽１２の上方を覆うように閉じる。洗浄槽１２を設けても、裁断テーブル３を広げたり、裁断ヘッド４による裁断刃５の移動範囲を広げたり、裁断刃５の昇降ストロークを大きくする必要がないので、裁断機１を大型化することなく、裁断刃５を洗浄することが可能となる。【選択図】図１
2015089596.tif 000002
【特許請求の範囲】
【請求項１】
シート材を載置して裁断するための載置面を有する裁断テーブルと、
裁断テーブルの表面に沿って移動可能、かつ、上昇してシート材から離反する状態、および下降してシート材を裁断する状態との間で昇降可能な裁断刃と、
を備える裁断機の裁断刃洗浄装置であって、
載置面以外の裁断テーブルで、裁断刃が移動可能な範囲内に配置され、裁断テーブルの表面に対して出没可能で、上部が裁断テーブルの表面よりも低い位置まで没入して待機し、上部が裁断テーブルの表面よりも突出して裁断刃を洗浄可能な洗浄手段と、
洗浄手段を昇降させ、裁断テーブルの表面に対して出没させる昇降機構と、
洗浄手段が没入して待機している間、裁断テーブルの表面と同等となるように、洗浄手段の上方を覆って閉じ、洗浄手段が突出する際には、洗浄手段の上方を開放することが可能な蓋と、
蓋を開閉する開閉機構と、
昇降機構と開閉機構とのうち、少なくとも一方を駆動する駆動源と、
を含むことを特徴とする裁断機の裁断刃洗浄装置。
【請求項２】
前記駆動源は、モータであり、前記昇降機構に臨むように設けられ、
昇降機構は、
モータによって回転駆動される駆動ピニオン歯車と、
駆動ピニオン歯車と噛合する昇降用ラックを下部に有し、駆動ピニオン歯車を介するモータからの駆動で昇降するラック部材と、
を含み、
前記開閉機構は、
ラック部材の上部に設けられる開閉用ラックと、
開閉用ラックと噛合し、ラック部材の昇降に応じて角変位する開閉ピニオン歯車と、
前記蓋の基端側に取付けられ、開閉ピニオン歯車の軸を中心として揺動するように蓋を支持する揺動部材と、
を含むことを特徴とする請求項１記載の裁断機の裁断刃洗浄装置。
【請求項３】
前記洗浄手段は、
上方に開口する凹部として形成され、洗浄液を貯留可能な貯槽と、
貯槽が開口する部分の周囲に設けられるパッキンと、
を備える洗浄槽であり、
前記蓋は、洗浄槽を開閉する洗浄槽蓋を備え、
洗浄槽蓋は、
洗浄槽に対し、貯槽が開口する部分を覆い、パッキンを押圧する状態となるように、洗浄槽に上方から被せることが可能な蓋本体と、
蓋の下部に取付けられ、蓋本体を上下動可能な状態で保持する蓋ホルダと、
を備える、
ことを特徴とする請求項１または２記載の裁断機の裁断刃洗浄装置。
【請求項４】
前記裁断テーブルは、剛毛ブラシを並べて固定し、剛毛ブラシの先端で前記載置面を形成して、載置されたシート材の吸引保持が可能である、
ことを特徴とする請求項１〜３のいずれか一つに記載の裁断機の裁断刃洗浄装置。
【発明の詳細な説明】
【技術分野】
【０００１】
本発明は、裁断機の裁断テーブル上に載置したシート材を裁断する裁断刃を洗浄可能な、裁断機の裁断刃洗浄装置に関する。
【背景技術】
【０００２】
従来から、裁断機は、衣料品を縫製するためのパーツなどとして、布帛などのシート材を裁断するために使用されている。裁断機では、予め設定される裁断データに従って、効率よく裁断することができる。近年は、各種産業用資材のシート材も裁断の対象となり、樹脂が硬化の途中段階の状態で含浸されているプリプレグなども使用される（たとえば、特許文献１参照）。ただし、プリプレグを裁断すると、裁断刃などに樹脂成分が付着してしまう。裁断刃などに樹脂成分が付着すると、裁断に支障が生じるので、付着した樹脂成分を除去して、清浄にする必要がある。
【０００３】
半導体ウエハに貼付ける保護シートを、自由端側にカッター刃を備えたロボットで外周を切断する切断装置では、カッター刃のストック装置に、洗浄ブラシを備えて洗浄液でカッター刃を洗浄する洗浄手段を設けている（たとえば、特許文献２参照）。
【先行技術文献】
【特許文献】
【０００４】
【特許文献１】特開２０１３−０９９８１１号公報
【特許文献２】特開２００７−０４４７７２号公報
【発明の概要】
【発明が解決しようとする課題】
【０００５】
特許文献１に示すような裁断機でも、裁断刃などに樹脂成分が付着するような場合、特許文献２に示すような洗浄手段を設ければ、付着物を除去することができる。しかしながら、特許文献１に記載している裁断刃は、裁断機に装着した状態で使用するので、洗浄手段は、裁断刃の移動範囲内に設ける必要がある。裁断機の裁断テーブルの表面で、裁断刃の移動範囲内に特許文献２に開示されているような洗浄手段を設けると、その部分は洗浄にしか使えなくなる。また、洗浄手段の周囲の領域を使用する場合、洗浄手段を避けて裁断刃を上昇させる必要があり、裁断刃の昇降ストロークが大きくなるおそれがある。裁断刃の昇降ストロークを大きくすると、裁断機が大型化する場合がある。洗浄手段を設けても、設けていない場合と同様の広さを確保するためには、裁断テーブルを広げたり、洗浄手段を裁断テーブルの外部に設けて、裁断刃の移動範囲を広げたりする必要が生じ、裁断機が大型化してしまう。
【０００６】
本発明の目的は、裁断機を大型化することなく、裁断刃を洗浄する動作が可能な、裁断機の裁断刃洗浄装置を提供することである。
【課題を解決するための手段】
【０００７】
本発明は、シート材を載置して裁断するための載置面を有する裁断テーブルと、
裁断テーブルの表面に沿って移動可能、かつ、上昇してシート材から離反する状態、および下降してシート材を裁断する状態との間で昇降可能な裁断刃と、
を備える裁断機の裁断刃洗浄装置であって、
載置面以外の裁断テーブルで、裁断刃が移動可能な範囲内に配置され、裁断テーブルの表面に対して出没可能で、上部が裁断テーブルの表面よりも低い位置まで没入して待機し、上部が裁断テーブルの表面よりも突出して裁断刃を洗浄可能な洗浄手段と、
洗浄手段を昇降させ、裁断テーブルの表面に対して出没させる昇降機構と、
洗浄手段が没入して待機している間、裁断テーブルの表面と同等となるように、洗浄手段の上方を覆って閉じ、洗浄手段が突出する際には、洗浄手段の上方を開放することが可能な蓋と、
蓋を開閉する開閉機構と、
昇降機構と開閉機構とのうち、少なくとも一方を駆動する駆動源と、
を含むことを特徴とする裁断機の裁断刃洗浄装置である。
【０００８】
また本発明で、前記駆動源は、モータであり、前記昇降機構に臨むように設けられ、
昇降機構は、
モータによって回転駆動される駆動ピニオン歯車と、
駆動ピニオン歯車と噛合する昇降用ラックを下部に有し、駆動ピニオン歯車を介するモータからの駆動で昇降するラック部材と、
を含み、
前記開閉機構は、
ラック部材の上部に設けられる開閉用ラックと、
開閉用ラックと噛合し、ラック部材の昇降に応じて角変位する開閉ピニオン歯車と、
前記蓋の基端側に取付けられ、開閉ピニオン歯車の軸を中心として揺動するように蓋を支持する揺動部材と、
を含むことを特徴とする。
【０００９】
また本発明で、前記洗浄手段は、
上方に開口する凹部として形成され、洗浄液を貯留可能な貯槽と、
貯槽が開口する部分の周囲に設けられるパッキンと、
を備える洗浄槽であり、
前記蓋は、洗浄槽を開閉する洗浄槽蓋を備え、
洗浄槽蓋は、
洗浄槽に対し、貯槽が開口する部分を覆い、パッキンを押圧する状態となるように、洗浄槽に上方から被せることが可能な蓋本体と、
蓋の下部に取付けられ、蓋本体を上下動可能な状態で保持する蓋ホルダと、
を備える、
ことを特徴とする。
【００１０】
また本発明で、前記裁断テーブルは、
剛毛ブラシを並べて固定し、剛毛ブラシの先端で前記載置面を形成して、載置されたシート材の吸引保持が可能である、
ことを特徴とする。
【発明の効果】
【００１１】
本発明によれば、裁断機の裁断刃洗浄装置は、洗浄手段と、昇降機構と、蓋と、開閉機構と、駆動源とを含む。洗浄手段は、裁断刃が移動可能な範囲内に配置され、昇降機構によって出没可能であり、裁断テーブルの表面よりも低い位置まで没入して、上方が蓋で閉じられて待機する。裁断刃を洗浄する状態では、蓋が開き、洗浄手段の上部が裁断テーブルの表面よりも突出して裁断刃が洗浄可能となる。洗浄手段が突出するので、裁断刃の下降量が小さい場合でも、十分に洗浄することができ、裁断時に裁断刃の周囲を押える生地押えの底面など、比較的広い面積の部分も、容易に洗浄することができる。洗浄手段が待機中には、没入させて、裁断テーブルの表面と同等となるように蓋で覆うことによって、洗浄手段が設けられている部分も裁断テーブルとして使用することができる。洗浄手段を設けても、裁断テーブルを広げたり、裁断刃が移動可能な範囲を広げたりする必要も無く、裁断刃の昇降ストロークを大きくする必要も無いので、裁断機を大型化することなく、裁断刃を洗浄する動作が可能になる。
【００１２】
また本発明によれば、下部に昇降機構の駆動ピニオン歯車で昇降するように駆動される昇降用ラックが設けられ、上部に開閉機構の開閉ピニオン歯車を駆動する開閉用ラックが設けられるラック部材で、昇降機構と開閉機構とを連動させることができる。駆動源であるモータで、昇降機構を駆動するので、洗浄手段の重量が大きくても、確実に昇降させることができる。昇降機構に臨んでモータが設けられ、開閉機構は昇降機構に連動するので、開閉機構の周囲には駆動源を設ける必要が無く、開閉する蓋との干渉も避けることができる。
【００１３】
また本発明によれば、洗浄手段である洗浄槽の貯槽は、開口の周囲にパッキンが設けられ、上方から洗浄槽蓋の蓋本体を被せれば、貯槽内部を気密に封止することができる。蓋本体は、蓋の下部に取付けられる蓋ホルダで上下動可能に支持されるので、パッキンを押圧する際には、誤差を吸収するように、自重によって密着させることができる。
【００１４】
また本発明によれば、剛毛ブラシの先端でシート材を吸引保持する載置面が固定されて、搬送コンベアを形成しない。搬送コンベアを形成する場合に必要な端部の機構が不要となり、洗浄手段および蓋を、載置面の周縁に接近させて配置し、吸引保持の機能には影響しないようにして裁断刃を洗浄することができる。
【図面の簡単な説明】
【００１５】
【図１】図１は、本発明の一実施例である裁断機１の裁断刃洗浄装置２の概略的な構成および動作を示す平面図および正面図である。
【図２】図２は、図１の裁断刃洗浄装置２が待機している状態を簡略化して示す正面図である。
【図３】図３は、図１の裁断刃洗浄装置２が待機している状態を簡略化して示す右側面図である。
【図４】図４は、図１の裁断刃洗浄装置２が洗浄可能な状態を簡略化して示す正面図である。
【図５】図５は、図２の裁断刃洗浄装置２の平面図、および蓋１１を除去した状態の平面図である。
【図６】図６は、図２の洗浄ユニット１０で洗浄槽１２と洗浄槽蓋１３との閉および開の状態を簡略化して示す部分的な正面図である。
【発明を実施するための形態】
【００１６】
以下、図１〜図６で、本発明の一実施例としての裁断機１の裁断刃洗浄装置２について、構成および動作を示す。説明を簡明にするために、同一の対象についての正面図、平面図、あるいは側面図で、対応する構成を特定の図のみに示し、他では省略したり輪郭線のみ仮想線で示す場合がある。また、説明対象の図には記載されていない部分について、他の図に記載される参照符を付して言及する場合がある。
【実施例】
【００１７】
図１は、本発明の一実施例である裁断機１の裁断刃洗浄装置２の概略的な構成を、（ａ）は平面視、（ｂ）および（ｃ）は正面視でそれぞれ示す。裁断機１は、裁断テーブル３および裁断ヘッド４を備える。裁断ヘッド４には、裁断刃５が裁断テーブル３に臨むように設けられる。裁断刃５については、他の部分よりも誇張し、相対的に拡大して示す。裁断ヘッド４は、裁断刃５を、上昇してシート材から離反する状態、および下降してシート材を裁断する状態との間で切替える機能を有している。
【００１８】
裁断テーブル３上には、シート材を吸引保持することができる。裁断刃５を、下降させ、シート材の表面から突刺す状態にして、裁断テーブル３の表面に沿って裁断ヘッド４を、予め設定される裁断データに従って移動させれば、シート材を裁断することができる。しかしながらシート材がプリプレグなどを素材としているような場合、裁断の際に、裁断刃５には樹脂成分が汚れとして付着しやすい。裁断機１では、裁断刃５と、その近傍となる生地押え４ａの底面などの他の部位を洗浄する裁断刃洗浄装置２を備えている。
【００１９】
裁断テーブル３は、水平で矩形の形状を有し、下方への吸引で載置するシート材を保持可能な載置面であるブラシ領域６が形成されている。ブラシ領域６には、合成樹脂製の剛毛を有する剛毛ブラシを並べて固定されている。シート材は、剛毛の先端上に載置され、下方からの吸引力で吸着される。シート材を裁断するために、上方から裁断刃５がブラシ領域６に進入すると、剛毛は切断されないように弾性変形して逃げることができる。
【００２０】
図１（ａ）に示すように、ブラシ領域６の上下に対向する一組の側辺には、左右となるＸ方向に走行レール７を有する。上下の走行レール７間には、側辺間を上下となるＹ方向に連結するビーム体８を有し、ビーム体８は、走行レール７に沿ってＸ方向に移動可能である。裁断ヘッド４は、ビーム体８で支持され、ビーム体８に沿ってＹ方向に移動可能である。
【００２１】
本実施例の裁断機１では、ブラシ領域６に隣接して、シート材の搬入作業用に、搬入領域９を設けている。搬入作業では、たとえば、シート材の表面を密閉フィルムで覆う。図１（ｃ）に示すように、ビーム体８は、裁断テーブル３の表面上を、ブラシ領域６の設けられていない搬入領域９まで移動可能である。裁断刃洗浄装置２は、搬入領域９に設けられている。裁断刃洗浄装置２は、洗浄ユニット１０と蓋１１とを含む。
【００２２】
従来から裁断機では、ブラシ領域６をシート材の搬送が可能な搬送コンベアとなるように構成する場合がある。ブラシ領域６を搬送コンベアに構成する場合、搬入側と搬送側とには、スプロケットを配置する必要があるので、洗浄ユニット１０を配置する位置は、ブラシ領域６から離れてしまう。本実施例では、ブラシ領域６が固定されるので、ブラシ領域６の周縁に接近させることができる。また、搬送コンベアでは、載置面よりも外部の搬入側および搬出側が高くなるような段差が生じてしまうけれども、固定されるブラシ領域６は、搬入領域９と同等の高さとすることができ、本実施例の裁断テーブル３は、表面全体が同等の高さとなる。
【００２３】
洗浄ユニット１０の洗浄手段である洗浄槽１２は、出没可能で、図１（ｂ）に示すように、裁断テーブル３の表面よりも低い位置まで没入して待機し、図１（ｃ）に示すように、表面よりも突出して裁断刃５および生地押え４ａの底面が洗浄可能である。また、裁断刃５の昇降ストロークが小さくても、十分に洗浄可能となる。洗浄時には、裁断ヘッド４を洗浄位置まで移動させる。洗浄位置では、裁断刃５を下降させ、裁断ヘッド４をＸ方向およびＹ方向に一定の範囲内で移動させて、裁断刃５や生地押え４ａの底面を、洗浄槽１２に設けるブラシで払拭させる。蓋１１は、洗浄槽１２を開閉可能で、図１（ｂ）に示すように、洗浄槽１２が没入して待機している間、裁断テーブル３の表面で洗浄槽１２の上方を覆うように閉じる。裁断刃５の移動範囲内に、洗浄のみの動作に使用する領域を生じないので、裁断機１を大型化することなく、洗浄時には洗浄槽１２を使用して裁断刃５を洗浄することが可能となる。図１（ｃ）に示すように、蓋１１は、洗浄槽１２が突出する際に、洗浄槽１２の上方を開放して、洗浄槽１２よりも裁断テーブル３の搬入方向の上流側に開く。蓋１１が開く方向は、図の上下方向となる側方でもよく、裁断ヘッド４の移動による洗浄動作を妨げないように、周縁側に開くようにすればよい。
【００２４】
なお、本実施例では搬入領域９としてシート材の搬入に使用する領域を、裁断物の搬出にも使用することもできる。また、搬出作業が必要な場合、搬入領域９とは別に、たとえば図の左側に相当する位置に、搬出領域を設けることもできる。この場合、洗浄槽１２を搬出領域に配置することもできる。洗浄槽１２を配置する位置は、使用する裁断機の機能に応じて、裁断刃の移動範囲内であればよい。本実施例では、シート材を載置して吸引保持が可能な裁断テーブル３のブラシ領域６の外部に、洗浄槽１２および蓋１１を配置するので、吸引保持の機能には影響しないようにして裁断刃５を洗浄することができる。
【００２５】
図２は、図１の裁断刃洗浄装置２が待機している状態を簡略化して示す正面図である。蓋１１は、下方に取付けられる洗浄槽蓋１３を備える。洗浄ユニット１０は、洗浄槽１２を没入と突出との間で昇降する昇降機構１４と、昇降機構１４を駆動する駆動源であるモータ１５と、開閉機構１６とを備える。開閉機構１６は、昇降機構１４に連動して、洗浄槽１２に対する洗浄槽蓋１３の開閉を行わせる。
【００２６】
図１に示すように、ブラシ領域６の搬入側の枠６ａには、裁断刃洗浄装置２の取付部材１７がボルト１７ａで取付けられている。取付部材１７は、下部で昇降機構１４を支持する。昇降機構１４よりも上方に開閉機構１６が設けられる。昇降機構１４および開閉機構１６には、ラック部材１８が共通に含まれる。ラック部材１８の下部は、取付部材１７の下部にボルト１７ｂで取付けられる昇降ホルダ１９で、昇降移動可能な状態で支持される。ラック部材１８の上部には、洗浄槽１２を支持する支持板２０が連結部材２１を介して連結される。連結部材２１は、ラック部材１８および支持板２０に、ボルト２１ａ，２１ｂでそれぞれ取付けられている。
【００２７】
昇降機構１４は、ラック部材１８の下部に設けられる昇降用ラック１８ａを、モータ１５の出力軸に取付けられる出力ピニオン歯車２２と噛合する駆動ピニオン歯車２３によって駆動する。駆動ピニオン歯車２３は、小ピニオン２３ａと大ピニオン２３ｂとを同軸上に設ける二段歯の歯車であり、小ピニオン２３ａが昇降用ラック１８ａに噛合し、大ピニオン２３ｂが出力ピニオン歯車２２に噛合する。
【００２８】
開閉機構１６は、ラック部材１８の上部に設けられる開閉用ラック１８ｂと、開閉ピニオン歯車２４と、揺動部材２５とを含む。開閉ピニオン歯車２４は、開閉用ラック１８ｂと噛合し、開閉用ラック１８ｂの昇降に応じて角変位する。揺動部材２５は、蓋１１の下部に取付けられ、蓋１１を、開閉ピニオン歯車２４とともに角変位する軸２４ａを中心として揺動するように支持する。蓋１１は揺動によって開閉し、蓋１１の揺動では、揺動部材２５が基端側となる。蓋１１の下部には、揺動部材２５から間隔をあけて、取付部材１７側の先端付近に、洗浄槽蓋１３を支持する支持部材２６が取付けられる。軸２４ａは、図の前後方向に延び、両端は支持枠２７の側面で回転可能に支持される。
【００２９】
以上のように、本実施例では、モータ１５で駆動する昇降機構１４を設けて洗浄槽１２を昇降させ、昇降機構１４に連動する開閉機構１６で蓋１１を開閉することができる。モータ１５は、洗浄槽１２の下方で、駆動ピニオン歯車２３を介して昇降用ラック１８ａを駆動するので、重量ある洗浄槽１２が負荷となっても、確実に昇降させることができる。また、板材から形成されるラック部材１８の使用で、昇降機構１４に連動する開閉機構１６を、簡単に構成することができる。
【００３０】
なお、駆動源としてモータ１５を使用しているけれども、空気圧シリンダなどを使用して、ピストンロッドで支持板２０を昇降させることもできる。モータ１５を駆動源とする場合でも、昇降機構１４として、ボールねじなどを利用することもできる。駆動源で開閉機構１６の軸２４ａを直接駆動する場合、開閉ピニオン歯車２４および開閉用ラック１８ｂが昇降機構として機能し、駆動ピニオン歯車２３および昇降用ラック１８ａは不要となる。また、開閉機構１６は、リンク機構やスライド機構で蓋１１を開閉させるようにしてもよく、昇降機構１４の駆動源とは別の駆動源を設けるようにしてもよい。
【００３１】
図３は、図１の裁断刃洗浄装置２が待機している状態を簡略化して示す右側面図である。開閉ピニオン歯車２４の軸２４ａには、揺動部材２５がボルト２５ａで取付けられる。支持枠２７は、上部の幅方向の両側で、取付部材１７によって支持される。支持枠２７の下部には、図２および図４では図示を省略する支持ブロック２８が取付けられる。ラック部材１８を昇降移動可能に支持する昇降ホルダ１９は、昇降カバー２９で覆われ、昇降ホルダ１９と昇降カバー２９との間でラック部材１８が支持される状態となる。支持板２０の幅方向の両端付近には、下方に延びる昇降シャフト３０が取付けられる。昇降カバー２９および昇降シャフト３０も、図２および図４では図示を省略する。昇降シャフト３０は、支持ブロック２８に挿入されるリニアブッシュ２８ａに挿通され、支持板２０の昇降が案内される。支持ブロック２８には、ラック部材１８を摺動可能に収容する溝も設けられる。
【００３２】
図４は、図１の裁断刃洗浄装置２が洗浄可能な状態を簡略化して示す。モータ１５で昇降機構１４を駆動して、ラック部材１８を上昇させると、開閉機構１６の開閉用ラック１８ｂに噛合する開閉ピニオン歯車２４が時計回り方向に回る。軸２４ａに取付けられる揺動部材２５を介して蓋１１が揺動し、先端側の変位１１ａに従って、支持部材２６で支持される洗浄槽蓋１３が開いて、洗浄槽１２の上方を開放する。
【００３３】
蓋１１の基端側は、裁断テーブル３の表面よりも下方に入り込む。開閉機構１６を駆動する駆動源を設ける場合、蓋１１の基端側との干渉を避ける必要があり、配置に制約を受ける。本実施例では、モータ１５を昇降機構１４に臨むように配置し、開閉機構１６の周囲には配置していないので、蓋１１の基端側との干渉は避けられる。
【００３４】
洗浄槽１２は、底部を支持板２０で支持され、ラック部材１８の上昇に伴って支持板２０が上昇すると、上昇し、上端は搬入領域９の表面から突出する。洗浄槽１２には、溶剤などの洗浄液を貯留する貯槽１２ａ、洗浄液で裁断刃５や生地押え４ａの底面を払拭する洗浄ブラシ１２ｂ、洗浄槽蓋１３を被せたときに貯槽１２ａの周囲を封止するパッキン１２ｃが設けられる。このように、洗浄槽１２を有する洗浄ユニット１０の昇降に連動する揺動で、洗浄槽蓋１３を、支持部材２６を介して支持する蓋１１とともに開閉することができる。なお、洗浄手段としては、洗浄槽１２を用いないで、ワイヤブラシなどを用いて、裁断刃５などへの付着物を除去するようにすることもできる。
【００３５】
以上のように、洗浄槽１２では、洗浄ブラシ１２ｂの上部を裁断テーブル３の表面よりも突出させることができる。洗浄ブラシ１２ｂの上部が突出していると、裁断刃５や裁断時に裁断刃の周囲を押える生地押え４ａの底面など、比較的広い面積の部分も、裁断ヘッド４を一定の範囲内で移動させれば、裁断テーブル３の表面よりも高い位置で、容易に洗浄することができる。
【００３６】
図５は、（ａ）で図２の裁断刃洗浄装置２の平面視、（ｂ）で蓋１１を除去した状態をそれぞれ示す。蓋１１が閉じている状態では、図５（ａ）に示す洗浄槽蓋１３が図５（ｂ）に示す洗浄槽１２を覆う。パッキン１２ｃが設けられているので、貯槽１２ａに揮発性の洗浄剤を貯留していても、封止することができる。洗浄ブラシ１２ｂは設けないで、裁断刃５の刃先を洗浄材に浸漬させるだけでも、洗浄は可能である。また、貯槽１２ａを振動させたり、超音波を印加したりするようにしてもよい。洗浄ブラシ１２ｂは、貯槽１２ａ外に取付けて、一部が貯槽１２ａに浸漬するようにしてもよい。
【００３７】
図６は、洗浄槽１２と洗浄槽蓋１３との間で、（ａ）は閉、（ｂ）は開の状態を、一部を断面で、かつ簡略化して、それぞれ示す。洗浄槽蓋１３は、蓋本体１３ａと、蓋ホルダ１３ｂとを含む。蓋ホルダ１３ｂは、支持部材２６に取付けられ、蓋１１の先端側で支持される。蓋本体１３ａは、蓋ホルダ１３ｂに対し、相対的な上下動が可能である。図６（ａ）に示すように、蓋本体１３ａの下面は洗浄槽１２のパッキン１２ｃを押圧して、貯槽１２ａの上方の空間を機密に封止する。蓋本体１３ａには凸部１３ｄが設けられ、蓋ホルダ１３ｂには孔部１３ｅが設けられる。蓋ホルダ１３ｂの孔部１３ｅに嵌合させた蓋本体１３ａの凸部１３ｄの頂部には、蓋板１３ｃが取付けられ、蓋本体１３ａが蓋ホルダ１３ｂから脱落するのを防ぐ。
【００３８】
なお、洗浄槽蓋１３は、蓋本体１３ａと蓋ホルダ１３ｂとに分けないで一体的に、支持部材２６で支持するようにしてもよい。ただし、昇降と揺動とで誤差が生じ、パッキン１２ｃを押圧する封止の精度が低下するおそれがある。本実施例では、蓋本体１３ａは、蓋１１の下部の支持部材２６に取付けられる蓋ホルダ１３ｂで上下動可能に支持されるので、パッキン１２ｃを押圧する際には、誤差を吸収するように、自重でパッキン１２ｃに密着させることができる。
【符号の説明】
【００３９】
１  裁断機
２  裁断刃洗浄装置
３  裁断テーブル
４  裁断ヘッド
４ａ  生地押え
５  裁断刃
６  ブラシ領域
９  搬入領域
１１  蓋
１２  洗浄槽
１３  洗浄槽蓋
１４  昇降機構
１５  モータ
１６  開閉機構
１８  ラック部材
１８ａ  昇降用ラック
１８ｂ  開閉用ラック
２３  駆動ピニオン歯車
２４  開閉ピニオン歯車
２４ａ  軸
２５  揺動部材
２６  支持部材
２７  支持枠
【図１】
2015089596.tif 000003
【図２】
2015089596.tif 000004
【図３】
2015089596.tif 000005
【図４】
2015089596.tif 000006
【図５】
2015089596.tif 000007
【図６】
2015089596.tif 000008